(57)【要約】      （修正有）【課題】寒天層を有する花生けにおいて、花生け内部の寒天に着色剤を配合しても、着色剤が植物に吸収されて、着色や腐敗が生じることのない花生けを提供する。【解決手段】花生けは、透明容器１の内部に、少なくとも内側の寒天層３と外側の寒天層２を有し、最外側の寒天層２が着色剤を含有する。【選択図】図１
0003231800.tif 000002
【実用新案登録請求の範囲】
【請求項１】
透明容器の内部に、少なくとも内側の寒天層と外側の寒天層を有し、最外側の寒天層が着色剤を含有する花生け。
【請求項２】
透明容器が樹脂製である請求項１に記載の花生け。
【請求項３】
寒天層が保存剤を含有する請求項１または２に記載の花生け。
【請求項４】
外側の寒天層と、内側寒天層の間に仕切りを有する請求項１〜３のいずれか１項に記載の花生け。
【考案の詳細な説明】
【技術分野】
【０００１】
本考案は、花生けに関し、特に水交換不要な花生けに関する。
【背景技術】
【０００２】
花生けは、一般的にはガラスや陶器などの容器を利用し、水を満たして切り花などを挿している。花生けの形状によっては、生けた切り花の角度を保つために、剣山などを用いている。これらの花生けでは、水が腐敗すると水を交換するか、腐敗を防止するために防腐剤を添加したり、蒸発した水分を補給するために、水を足す必要があった。また、容器が倒れると水がこぼれるという問題があった。
【０００３】
特許文献１には、前述の問題がない花生けが開示されている。容器内部に、上下の二層に分離した吸水材料層とゲル材料層を有している。しかしながら、意匠性のために、いずれかまたは両方の層に着色剤を添加すると、着色剤が植物に吸収され、着色や腐敗という問題が生じることがあった。
【先行技術文献】
【特許文献】
【０００４】
【特許文献１】特開２０１２−２１０３９０号公報
【考案の概要】
【考案が解決しようとする課題】
【０００５】
本考案は、寒天層を有する花生けにおいて、花生け内部の寒天に着色剤を配合しても、着色剤が植物に吸収されて、着色や腐敗が生じることのない花生けを提供することを目的とする。
【課題を解決するための手段】
【０００６】
すなわち、本考案は、透明容器の内部に、少なくとも内側の寒天層と外側の寒天層を有し、最外側の寒天層が着色剤を含有する花生けに関する。
【０００７】
透明容器が樹脂製であることが好ましい。
【０００８】
寒天層が保存剤を含有することが好ましい。
【考案の効果】
【０００９】
本考案によれば、植物が着色したり、腐敗することがなく、意匠性に優れた花生けを提供することができる。
【図面の簡単な説明】
【００１０】
【図１】本考案の花生けの外観図である。
【図２】本考案の花生けの製造方法１に関する説明図である。
【図３】本考案の花生けの他の態様の製造方法２に関する説明図である。
【図４】本考案の花生けの他の態様の製造方法３に関する説明図である。
【考案を実施するための形態】
【００１１】
本考案の花生けは、透明容器の内部に、少なくとも内側の寒天層と外側の寒天層を有し、最外側の寒天層が着色剤を含有することを特徴とする。寒天の保水性を活用するため、水の交換が不要となる。
【００１２】
図１に、本考案の花生けの外観図を示す。容器１の内側に、外側の寒天層２と内側の寒天層３を有する。図には、任意の部材として、寒天層２と３の間に存在する仕切り４、生け花を設置できる程度の大きさの開口部を有する蓋５と、水分が蒸発して寒天が乾燥するのを防ぐためのシール６も記載している。仕切り４を設置すると、外側の寒天層に存在する着色剤が内側の寒天層に移り、直物が着色することを完全に抑制することができる。図１では、容器は円錐台の形状となっているが、円柱、角柱、楕円錐台でもよい。この態様では、使用時にシール６を剥がして、生け花を挿す。
【００１３】
容器の容量は特に限定されないが、５０〜２０００ｍｌが好ましく、１００〜５００ｍｌがより好ましい。
【００１４】
花生けに生ける花は特に限定されず、カーネーション、バラなどが挙げられる。特に水揚げの点で、カーネーションが好ましく、水を用いた場合よりも長持ちする。一方、バラなどは、水揚げが良くないので、注意が必要である。また、寒天に生けるため、水では生けることができなかった茎の短い植物でも、生けることが可能である。
【００１５】
本考案の花生けでは、一般的な花瓶のように、花生けに水を貯めないので、水の交換、転倒時の水の飛散などの問題がない。また、切り花を、外側寒天層や、蓋が保持するため、剣山などを使用する必要もなく、軽量で、安全である。
【００１６】
容器は、花生け内部の最外層の色彩等を外部から認識できることが必要なため、透明であることが必要である。透明である限り、有色透明でも、半透明であってもよい。容器の材質は特に限定されず、樹脂、ガラスなどが挙げられるが、破損しにくく、軽量である点で、樹脂が好ましい。
【００１７】
花生けの内部には、少なくとも内側の寒天層と外側の寒天層の２つの層が必要であるが、両者の間に他の層を設け、３層以上の構造とすることもできる。各層の寒天の濃度は特に限定されないが、０．０１〜１０質量％が好ましく、０．１〜５質量％がより好ましい。２つの寒天層の寒天の濃度は、同じでも異なっていてもよいが、挿した花の角度を保ったり、茎の短い花を挿すために、内側の寒天層の濃度が高いことが好ましく、具体的には０．５質量％以上であることがより好ましい。
【００１８】
外側の寒天層の占める割合は、１０〜９０質量％が好ましく、３０〜７０質量％がより好ましい。
【００１９】
着色剤としては、食用色素、顔料、染料などが挙げられる。なかでも、安全性の点で、食用色素が好ましい。食用色素としては、カラメル色素、クチナシ色素、アントシアニン色素、アナトー色素、パプリカ色素、紅花色素、紅麹色素、フラボノイド色素、コチニール色素などが挙げられる。着色剤は１種単独でも、２種以上を併用しても良い。
【００２０】
内側の寒天層は、保存剤を有することが好ましい。保存剤としては、抗菌剤、防カビ剤などが挙げられる。レモンや柿渋も使用できるが、レモンではカビの発生の抑制効果が小さく、柿渋では寒天が固まらないことがある。
【００２１】
仕切は、内層と外層の寒天を隔てることができれば良く、たとえばプラスチックフィルムなどが挙げられる。
【００２２】
本考案の花生けの製造方法は特に限定されないが、たとえば以下に示す方法が挙げられる。
【００２３】
製造方法１
製造方法１は、最後に内側の寒天層を作製する製造方法であり、図２にその説明図を示す。
（ａ）透明容器に、外側の寒天層となる寒天溶液を注ぎ、固化させる。
（ｂ）寒天が固化後、円筒状の仕切りを挿し入れて、内側の寒天をくり抜く。必要に応じて、仕切りを再度挿入する。
（ｃ）打ち抜かれた内部の窪みに、内側の寒天溶液を注ぎ、固化させる。
【００２４】
製造方法２
該製造方法２は、最後に外側寒天層を作製する製造方法であり、図３にその説明図を示す。
（ａ）プラスチック容器に、円筒状の仕切りを入れる。
（ｂ）内側寒天層となる寒天溶液を仕切り内側に注ぐ。寒天溶液は、仕切りの下部からはみ出し、仕切りの外側にも寒天層が形成される。
（ｃ）内側の寒天層を仕切りとともに、抜き出す。仕切りの外側に形成された寒天層を除去するか、新たなプラスチック容器を用意する。
（ｄ）抜き出した内側の寒天層を、仕切りとともに、寒天層を除去したプラスチック容器または新たなプラスチック容器に戻す。
（ｅ）内側寒天層と容器の隙間に、外側寒天層となる寒天溶液を注ぎ、固化させる。
【００２５】
製造方法３
該製造方法３は、最後に外側寒天層を作製する別の態様の製造方法であり、図４にその説明図を示す。
（ａ）プラスチック容器に、円筒状の仕切りを入れる。
（ｂ）内側寒天層となる寒天溶液を仕切り内側に少量注ぎ、固化させる。
（ｃ）固化した後に、内側寒天層となる寒天溶液を仕切り内側に注ぎ、固化させる。（ｂ）工程で、容器の下部に寒天層が既に形成されているため、注いだ内側寒天層となる寒天溶液は、外側に浸み出ない。
（ｄ）仕切り内側に、内側寒天層となる寒天溶液を注ぎ、固化させる。
【実施例】
【００２６】
以下、本考案の実施例について説明するが、本考案は、以下の実施例に限定されない。
【００２７】
実施例で使用した材料を以下に示す。
寒天：
・柔            （伊那食品工業（株）製）
・カリコリカン  （伊那食品工業（株）製）
・Ｓ−６        （伊那食品工業（株）製）
・イーナ        （伊那食品工業（株）製）
食用色素：
・食用色素  赤  （共立食品株式会社製）
・食用色素  青  （共立食品株式会社製）
・食用色素  赤  （株式会社私の台所製）
・食用色素  青  （株式会社私の台所製）
【００２８】
保存剤：
・キープ・フラワー        （フジ日本精糖（株）製）            ２０ｍｌ／Ｌに希釈
・花工場切花ロングライフ液（住友化学園芸（株）製）            ３０ｍｌ／Ｌに希釈
・切花延命剤              （レインボー薬品（株）製）          ３０ｍｌ／Ｌに希釈
・水あげ名人              （（株）ハイポネックスジャパン製）１００ｍｌ／Ｌに希釈
・クリザール              （クリザールジャパン（株）製）      ２０ｍｌ／Ｌに希釈
【００２９】
製造例
種々の寒天を用い、それぞれ０．５、１、２、３％の濃度で固さを測定した。その結果を表１に示す。表１の結果から、１％カリコリカンが最適であった。
【００３０】
【表１】
0003231800.tif 000003
【００３１】
実施例
食用色素０．１ｇ／Ｌおよび切り花延命剤（レインボー薬品株式会社）が３０ｍｌ／Ｌの濃度になるように添加した０．９％寒天（カリコリカン）溶液を、５２５ｍｌの透明プラスチック容器に流し込み固化させた（図２（ａ））。固化後、クリアファイルを切削して円筒状に丸めた仕切りを用いて容器の中心部分の寒天を円筒状にくり抜いた（図２（ｂ））。切り花延命剤（レインボー薬品株式会社）が３０ｍｌ／Ｌの濃度になるように添加した１．２％寒天（カリコリカン）溶液を、くり抜いた窪み部分に流し込んで固化させた（図２（ｃ））。
【００３２】
他の保存剤でも、カビの発生を抑制することができた。
【産業上の利用可能性】
【００３３】
本考案の花生けは、様々な色に着色することができるため、デザイン性にも優れている。
【符号の説明】
【００３４】
１  容器
２  外側寒天層
３  内側寒天層
４  仕切り
５  蓋
６  シール
【図１】
0003231800.tif 000004
【図２】
0003231800.tif 000005
【図３】
0003231800.tif 000006
【図４】
0003231800.tif 000007